(57)【要約】【課題】鴨居板を長尺板と短尺板とに２分割とし、短尺板を長尺板に対し右側又は左側に片寄せして固定可能とした片引き吊戸枠において、前記短尺板の取付けをワンタッチ式により取付けできるようにする。【解決手段】短尺板２Ｂの長尺板側側縁の複数箇所に予め雄側連結金具１０を取り付けておくとともに、前記長尺板２Ａの短尺板側側縁に雌側連結金具１１の取付け用嵌合凹部１２，１２…を形成しておき、取付け現場において前記短尺板２Ｂの取付け位置に応じて前記取付け用嵌合凹部１２，１２に対して雌側連結金具１１、１１を設置する。前記雄側連結金具１０は、長尺板２Ａ側に突出する挿入部１４と、この挿入部１４に形成された爪部１５とを有する連結金具とされ、前記雌側連結金具１１は、前記挿入部１４が水平方向から挿入可能とされる挿入孔部１７と、挿入時に前記爪部１５が係合可能な掛止部１８とを有する連結金具とされる。【選択図】図２
2016050452.tif 000002
【特許請求の範囲】
【請求項１】
鴨居板と、鴨居板の左端部に連結される左縦枠と、鴨居板の右端部に連結される右縦枠と、鴨居板の中央部に連結される中間縦枠とを備え、鴨居板のほぼ全長にわたって片引き吊戸がスライド可能に設置され、前記鴨居板を長尺板と短尺板とに２分割とし、前記短尺板を前記長尺板に対し右側又は左側に片寄せして固定可能とした片引き吊戸枠において、
前記短尺板の長尺板側側縁の複数箇所に予め雄側連結金具を取り付けておくとともに、前記長尺板の短尺板側側縁であって前記短尺板を右側に片寄せして取付ける場合の前記雄側連結金具の対応位置と、前記短尺板を左側に片寄せして取付ける場合の前記雄側連結金具の対応位置とにそれぞれ雌側連結金具の取付け用嵌合凹部を形成しておき、取付け現場において前記短尺板の取付け位置に応じて前記取付け用嵌合凹部に対して雌側連結金具を設置可能とされ、
前記雄側連結金具は、長尺板側に突出する挿入部と、この挿入部に形成された爪部とを有する連結金具とされ、前記雌側連結金具は、前記挿入部が水平方向から挿入可能とされる挿入孔部と、挿入時に前記爪部が係合可能な掛止部とを有する連結金具とされることを特徴とする片引き吊戸枠。
【請求項２】
前記短尺板において、雄側連結金具の取付け位置に取付け用嵌合凹部を形成するとともに、この取付け用嵌合凹部から部材長手方向に沿うスリット溝を形成し、前記雄側連結金具は外周面であって前記挿入部の方向に対して直交する方向に夫々、前記スリット溝に嵌入される回り止め用突部が形成されている請求項１記載の片引き吊戸枠。
【発明の詳細な説明】
【技術分野】
【０００１】
本発明は、片引き吊戸を収容するための戸枠に関する。
【背景技術】
【０００２】
従来、片引き戸を収容するための戸枠５０としては、図９に示されるように、鴨居板５１と敷居板５２の左右両端部を左方立板（左縦枠）５３と右方立板（右縦枠）５４で連結するとともに、鴨居板５１と敷居板５２の中央部に中方立板（中間縦枠）５５で連結し、鴨居板５１と敷居板５２のほぼ全長に亘って引戸５６が摺動可能に嵌合される溝が形成されている。この片引き戸枠５０は、左用片引き戸と右用片引き戸とがあり、左用片引き戸枠の場合は、同図９に示されるように、鴨居板５１と敷居板５２の右半分に壁が収まる切欠き５１ａ、５２ａを形成し、右用片引き戸枠の場合は、図１０に示されるように、鴨居板５１と敷居板５２の左半分に壁が収まる切欠き５１ａ、５２ａを形成して構成されている。
【０００３】
このような片引き戸枠５０の場合は、右側に切欠部５１ａ、５２ａを形成した左用片引き戸枠に用いる鴨居板５１と敷居板５２と、左側に切欠部５１ａ、５２ａを形成した右用片引き戸枠に用いる鴨居板５１と敷居板５２とを別々に準備せざるを得ないため、部材の種類を多く必要とし製造コストが高く成らざるを得なかったという問題点があった。
【０００４】
そこで下記特許文献１では、図１１に示されるように、前記鴨居板５１及び敷居板５２を、前記溝を形成した長尺板５１Ａ、５２Ａと、前記中方立板の幅と等しい幅を有する短尺板５１Ｂ、５２Ｂとに２分割とし、前記短尺板５１Ｂ、５２Ｂを前記長尺板５１Ａ、５２Ａに右側又は左側に片寄せして固定し、前記短尺板５１Ｂの一端と敷居板５２の短尺板５２Ｂとの一端に中方立板５５を固定した片引き戸枠が提案されている。なお、類似する技術としては、さらに下記特許文献２，３などを挙げることができる。
【先行技術文献】
【特許文献】
【０００５】
【特許文献１】特開２００２−１１５４７１号公報
【特許文献２】実開昭５６−１７６９８２号公報
【特許文献３】特開平９−６０４２４号公報
【発明の概要】
【発明が解決しようとする課題】
【０００６】
前記特許文献１に係る片引き戸枠では、前記短尺板５１Ｂ、５２Ｂを右側に片寄せして長尺板５１Ａ、５２Ａに固定した鴨居板５１と敷居板５２及び左右の方立板５３、５４と中方立板５５を組み立てることにより右用片引き戸枠を製作でき、短尺板５１Ｂ、５２Ｂを左側に片寄せて長尺板５１Ａ、５２Ａに固定した鴨居板５１と敷居板５２及び左右の方立板５４，５４と中方立板５５を組み立てることにより、左用片引き戸枠を製作できるため、片引き戸枠の鴨居板５１と敷居板５２のそれぞれについて右用と左用の２種類を用意する必要が無くなるため製造コストを低減できるなどの利点を有する。
【０００７】
しかしながら、前記長尺板５１Ａ、５２Ａに対する短尺板５１Ｂ、５２Ｂの取付けは、図１２に示されるように、短尺板５１Ｂの貫通穴５７，５７に木ネジ５８、５８を通し、この木ネジ５８，５８を長尺板５１Ａの左側二つのガイド穴５９，５９にネジ込むことにより短尺板５１Ｂを長尺板５１Ａの左側に片寄せして固定し、木ネジ５８を通した貫通穴５７をだぼで塞いで作製されるものであるため、現場での作業が繁雑であるなどの問題があった。
【０００８】
なお、前記特許文献１は摺動タイプの片引き戸の例であるため、敷居を必要としているが、本発明が対象とする吊りタイプの片引き戸の場合は敷居を無くすことが可能である。
【０００９】
そこで本発明の主たる課題は、鴨居板と、鴨居板の左端部に連結される左縦枠と、鴨居板の右端部に連結される右縦枠と、鴨居板の中央部に連結される中間縦枠とを備え、鴨居板のほぼ全長にわたって片引き吊戸がスライド可能に設置され、前記鴨居板を長尺板と短尺板とに２分割とし、前記短尺板を前記長尺板に対し右側又は左側に片寄せして固定可能とした片引き戸枠において、前記長尺板に対する短尺板の取付けをワンタッチ式により簡単に施工できるようにすることにある。
【課題を解決するための手段】
【００１０】
上記課題を解決するために請求項１に係る本発明として、鴨居板と、鴨居板の左端部に連結される左縦枠と、鴨居板の右端部に連結される右縦枠と、鴨居板の中央部に連結される中間縦枠とを備え、鴨居板のほぼ全長にわたって片引き吊戸がスライド可能に設置され、前記鴨居板を長尺板と短尺板とに２分割とし、前記短尺板を前記長尺板に対し右側又は左側に片寄せして固定可能とした片引き吊戸枠において、
前記短尺板の長尺板側側縁の複数箇所に予め雄側連結金具を取り付けておくとともに、前記長尺板の短尺板側側縁であって前記短尺板を右側に片寄せして取付ける場合の前記雄側連結金具の対応位置と、前記短尺板を左側に片寄せして取付ける場合の前記雄側連結金具の対応位置とにそれぞれ雌側連結金具の取付け用嵌合凹部を形成しておき、取付け現場において前記短尺板の取付け位置に応じて前記取付け用嵌合凹部に対して雌側連結金具を設置可能とされ、
前記雄側連結金具は、長尺板側に突出する挿入部と、この挿入部に形成された爪部とを有する連結金具とされ、前記雌側連結金具は、前記挿入部が水平方向から挿入可能とされる挿入孔部と、挿入時に前記爪部が係合可能な掛止部とを有する連結金具とされることを特徴とする片引き吊戸枠が提供される。
【００１１】
上記請求項１記載の発明では、前記短尺板の長尺板側側縁の複数箇所に予め雄側連結金具を取り付けておくとともに、前記長尺板の短尺板側側縁であって前記短尺板を右側に片寄せして取付ける場合の前記雄側連結金具の対応位置と、前記短尺板を左側に片寄せして取付ける場合の前記雄側連結金具の対応位置とにそれぞれ雌側連結金具の取付け用嵌合凹部を形成しておき、取付け現場において前記短尺板の取付け位置に応じて前記取付け用嵌合凹部に対して雌側連結金具を設置可能とされる。従って、前記右側に片寄せして取付けるのか又は左側に片寄せして取付けるのかに応じて、前記長尺板の取付け用嵌合凹部に対して雌側連結金具を嵌合設置する。
【００１２】
前記雄側連結金具は、長尺板側に突出する挿入部と、この挿入部に形成された爪部とを有する連結金具とされ、前記雌側連結金具は、前記挿入部が水平方向から挿入可能とされる挿入孔部と、挿入時に前記爪部が係合可能な掛止部とを有する連結金具とされるため、前記短尺板を水平方向から長尺板に対して接合することにより、短尺板に設けられた雄側連結金具の挿入部が長尺板に設けられた雌側連結金具の挿入孔部に挿入されると同時に、雄側連結金具の爪部が長尺板に設けられた雌側連結金具の掛止部に係合し、短尺板の取付けが完了する。
【００１３】
請求項２に係る本発明として、前記短尺板において、雄側連結金具の取付け位置に取付け用嵌合凹部を形成するとともに、この取付け用嵌合凹部から部材長手方向に沿うスリット溝を形成し、前記雄側連結金具は外周面であって前記挿入部の方向に対して直交する方向に夫々、前記スリット溝に嵌入される回り止め用突部が形成されている請求項１記載の片引き吊戸枠が提供される。
【００１４】
上記請求項２記載の発明では、雄側連結金具の取付け位置に取付け用嵌合凹部を形成するとともに、この取付け用嵌合凹部から部材長手方向に沿うスリット溝を形成するようにし、前記雄側連結金具は外周面であって前記挿入部の方向に対して直交する方向に夫々、前記スリット溝に嵌入される回り止め用突部が形成されていることによって、前記雄側連結金具の挿入部を長尺板に設けられた雌側連結金具に対して正対させることが可能となる。
【発明の効果】
【００１５】
以上詳説のとおり本発明によれば、鴨居板と、鴨居板の左端部に連結される左縦枠と、鴨居板の右端部に連結される右縦枠と、鴨居板の中央部に連結される中間縦枠とを備え、鴨居板のほぼ全長にわたって片引き吊戸がスライド可能に設置され、前記鴨居板を長尺板と短尺板とに２分割とし、前記短尺板を前記長尺板に対し右側又は左側に片寄せして固定可能とした片引き吊戸枠において、前記長尺板に対する短尺板の取付けをワンタッチ式により簡単に施工できるようになる。
【図面の簡単な説明】
【００１６】
【図１】本発明に係る片引き吊戸用戸枠１を示す斜視図である。
【図２】鴨居２を構成するために長尺板２Ａに対する短尺板２Ｂの取付け要領を示す斜視図である。
【図３】(A)は短尺板２Ｂを長尺板２Ａの左側に固定した状態を示す斜視図であり、(B)は短尺板２Ｂを長尺板２Ａの右側に固定した状態を示す斜視図である。
【図４】鴨居２に対する片引き用吊戸６の取付け状態を示す横断面図である。
【図５】雄側連結金具１０と雌側連結金具１１の取付け要領を示す斜視図である。
【図６】雄側連結金具１０と雌側連結金具１１との連結要領を示す斜視図である。
【図７】雄側連結金具１０と雌側連結金具１１との連結状態を示す斜視図である。
【図８】雄側連結金具１０と雌側連結金具１１とにより長尺板２Ａと短尺板２Ｂとの連結状態を示す平面図である。
【図９】従来の左用片引き戸の戸枠５０を示す斜視図である。
【図１０】従来の右用片引き戸の戸枠５０を示す斜視図である。
【図１１】特許文献１に係る片引き戸枠を示す斜視図である。
【図１２】特許文献１における長尺板５１Ａに対する短尺板５１Ｂの取付け要領を示す斜視図である。
【発明を実施するための形態】
【００１７】
以下、本発明の実施の形態について図面を参照しながら詳述する。
【００１８】
図１に示される片引き吊戸枠１は、鴨居板２と、鴨居板２の左端部に縦方向配置で連結される左縦枠３と、鴨居板２の右端部に縦方向配置で連結される右縦枠４と、鴨居板２の中央部に同じく縦方向配置で連結される中間縦枠５とを備え、鴨居板２のほぼ全長にわたって片引き吊戸６がスライド可能に設置されたものである。なお、本吊戸枠１では片引き吊戸６を対象としているおり、バリアフリー化のため敷居は存在しない構造となっている。
【００１９】
前記鴨居板２は、長手方向中央部から右側半分又は左側半分（図示例では右側半分）に板幅を半分とする切欠き部２ｅが形成された平面形状をしている。本片引き吊戸枠１では、前記鴨居板２を長尺板２Ａと短尺板２Ｂとに２分割とし、前記短尺板２Ｂを前記長尺板２Ａに対し右側又は左側に片寄せして固定可能とした片引き吊戸枠１を対象としている。
【００２０】
前記左縦枠３の外側（吊戸枠１の反対側）には壁７が設けられており、前記中間縦枠５の外側及び右縦枠４の外側にも壁７が設けられている。
【００２１】
鴨居板２を構成するための前記短尺板２Ｂは、図２に示されるように、断面略矩形状の部材であり、前記長尺板２Ａへの当接面側の側面の下部に段差部２ｃが形成されているとともに、長尺板２Ａ側の側縁の複数箇所に予め雄側連結金具１０，１０が取り付けられている、前記雄側連結金具１０の取付けは、図５に示されるように、長尺板２Ａ側の側縁の複数箇所に予め、取付け用嵌合凹部１３を形成しておき、雄側連結金具１０をこの取付け用嵌合凹部１３に嵌合することによって設置される。この際、この取付け用嵌合凹部１３から部材長手方向に沿うスリット溝２ｄを形成し、前記雄側連結金具１０は外周面であって後述する挿入部１４の方向に対して直交する方向に夫々、前記スリット溝２ｄに嵌入される回り止め用突部１６，１６が形成されており、この回り止め用突部１６，１６を前記スリット溝２ｄに嵌入させることによって、前記雄側連結金具１０の挿入部１４を長尺板２Ａに設けられた雌側連結金具１１に対して正対させるようになっている。前記段差部２ｃは、長尺板２Ａと接合したとき、先端部が後述する長尺板２Ａの部材（吊戸レール設置用溝２ａよりも短尺板２Ｂ側の部材）を覆い、かつ吊戸レール設置用溝２ａの内側面と同面となる位置まで延在する長さに設定されているため、下側から見た際、長尺板２Ａと短尺板２Ｂとの継ぎ目が隠されることになり、鴨居２があたかも一枚の板によって構成されているように見えるようになる。
【００２２】
一方、鴨居板２を構成するための前記長尺板２Ａは、図２に示されるように、断面略矩形状の部材であり、下面には吊戸レール設置用溝２ａが部材長手方向に沿って形成されるとともに、前記端尺板２Ｂへの当接側側面に、後述する雌側連結金具１１の垂下係止片１１ａ、１１ａが係止するための小溝２ｂが形成されている。
【００２３】
前記長尺板２Ａには、短尺板２Ｂ側の側縁であって前記短尺板２Ｂを右側に片寄せして取付ける場合の前記雄側連結金具１０の対応位置と、前記短尺板２Ｂを左側に片寄せして取付ける場合の前記雄側連結金具１０の対応位置とにそれぞれ雌側連結金具１１の取付け用嵌合凹部１２，１２…が形成されており、取付け現場において前記短尺板２Ｂの取付け位置に応じて前記取付け用嵌合凹部１２，１２…に対して雌側連結金具１１，１１を設置可能とされる。すなわち、図３(A)に示されるように、前記短尺板２Ｂを左側に片寄せして取付ける場合は、長尺板２Ａに形成された４つの取付け用嵌合凹部１２，１２…の内、中央位置から左側に配置された２つの取付け用嵌合凹部１２，１２に対して雌側連結金具１１，１１を嵌合設置して前記短尺板２Ｂを左側に片寄せして取り付けるようにし、また、図３(B)に示されるように、前記短尺板２Ｂを右側に片寄せして取付ける場合は、長尺板２Ａに形成された４つの取付け用嵌合凹部１２，１２…の内、中央位置から右側に配置された２つの取付け用嵌合凹部１２，１２に対して雌側連結金具１１，１１を嵌合設置して前記短尺板２Ｂを右側に片寄せして取り付けるようにする。
【００２４】
前記長尺板２Ａの下面に設けられた吊戸レール設置用溝２ａに対しては、図４に示されるように、吊戸レール設置用溝２ａに吊戸レール２０が嵌合設置され、該吊戸レール２０に沿って走行自在に設けられた複数個の、通常は２個のランナ２１、２１によって前記片引き吊戸６が吊持され、長尺板２Ａの長手方向に沿ってスライド可能に支持されている。
【００２５】
次に、前記短尺板２Ｂを長尺板２Ａに連結するための雄側連結金具１０と雌側連結金具１１とについて詳述する。
【００２６】
前記雄側連結金具１０は、図６に示されるように、長尺板２Ａ側に突出する挿入部１４と、この挿入部１４に形成された上下方向に弾性変形可能な爪部１５とを有する連結金具とされる。具体的には、平面視で略円形の連結金具本体１０Ａの周面に長尺板２Ａ側に突出する挿入部１４が形成されるとともに、この挿入部１４に上下方向に弾性変形可能な爪部１５が形成されている。前記挿入部１４は、平面視で中空矩形枠状の形状を成し、前記爪部１５は前記中空矩形枠の内側面から内空部に向けて突出する片持ち梁状の部材とされ、上面に山状の突部１５ａを有する。また、前記連結金具１０Ａの周面には、前記挿入部１４の方向に対して直交する方向に夫々、前記短尺板２Ｂのスリット溝２ｄに嵌入される回り止め用突部１６，１６が形成されている。前記連結金具本体１０Ａの下部側であって前記長尺板２Ａ側には短尺板２Ｂの側面から突出しないように切欠部１０ａが形成されている。なお、前記爪部１５は後述する雌側連結金具１１の掛止部１８との関係で、水平方向に弾性変形可能な爪部としてもよいし、前記掛止部１８が弾性変形可能な構成とする場合は弾性変形しない爪部とすることも可能である。
【００２７】
一方、前記雌側連結金具１１は、図６に示されるように、前記挿入部１４が水平方向から挿入可能とされる挿入孔部１７と、挿入時に前記爪部１５が係合可能な掛止部１８とを有する連結金具とされる。具体的には、略円柱形状を成す連結金具本体１１Ａの周面に開口を臨ませて前記挿入部１４が水平方向から挿入可能とされる挿入孔部１７が形成されるとともに、この挿入孔部１７の上部に梁状に横架する、前記爪部１５が係合可能な掛止部１８を有する。前記連結金具本体１１Ａの下端側に短尺板２Ｂ側の面に左右一対の垂下係止片１１ａ、１１ａを備えており（図５参照）、取付け用嵌合凹部１２に嵌合設置した際、端尺板２Ｂへの当接側側面に形成された小溝２ｂに係止するようになっている。
【００２８】
前記雄側連結金具１０の挿入部１４を前記雌側連結金具１１の挿入孔部１７に挿入させるようにしながら押し込むと、図７に示されるように、前記雄側連結金具１０の前記挿入部１４の爪部１５が、前記雌側連結金具１１の掛止部１８に掛止して両者の連結がワンタッチで図れるようになる。図８に長尺板２Ａと短尺板２Ｂとを連結金具１０，１１により連結した状態の平面図を示す。前記雄側連結金具１０及び雌側連結金具１１は、前記短尺板２Ｂ及び長尺板２Ａの上面側に設けられているため、下側から見た際、これらの連結金具１０，１１が見えることはなく見栄えも良好となる。
【符号の説明】
【００２９】
１…片引き吊戸枠、２…鴨居、２Ａ…長尺板、２Ｂ…短尺板、３…左縦枠、４…右縦枠、５…中間縦枠、６…片引き吊戸、７…壁、１０…雄側連結金具、１１…雌側連結金具、１２…取付け用嵌合凹部（雌側連結金具用）、１３…取付け用嵌合凹部（雄側連結金具用）、１４…挿入部、１５…爪部、１６…回り止め用突部、１７…挿入孔部、１８…掛止部
【図１】
2016050452.tif 000003
【図２】
2016050452.tif 000004
【図３】
2016050452.tif 000005
【図４】
2016050452.tif 000006
【図５】
2016050452.tif 000007
【図６】
2016050452.tif 000008
【図７】
2016050452.tif 000009
【図８】
2016050452.tif 000010
【図９】
2016050452.tif 000011
【図１０】
2016050452.tif 000012
【図１１】
2016050452.tif 000013
【図１２】
2016050452.tif 000014